(57)【特許請求の範囲】
【請求項１】
容器本体内に収納された揮発性物質の揮散量を調整可能なキャップであって、
内キャップと外キャップの二重構造からなり、
前記内キャップは、前記容器本体に固定され、かつ底部中央に閉塞突起部を有し、前記閉塞突起部の周囲には複数の開孔が形成され、
前記外キャップは、内部に剤料収容室を有し、前記内キャップに対して上下方向に相対移動可能に装着され、前記内キャップの前記閉塞突起部と密着する開封口、及び揮散した揮発性物質を外部に放出する揮散孔を有し、
前記内キャップ及び前記外キャップは、共に前記容器本体の口部内に落ち込むように凹状部に形成され、かつ前記内キャップ及び前記外キャップの前記凹状部の一部は互いに密着しており、
前記内キャップと前記外キャップが上下方向に相対移動した状態において、前記閉塞突起部と前記開封口との密着、及び前記内キャップと前記外キャップの前記凹状部の一部の密着が開放され、かつ内キャップと外キャップとの間に前記揮散孔に通じる隙間が出現する、
ことを特徴とする揮散量調整キャップ。
【請求項２】
前記内キャップと前記外キャップは、ネジで係合されている、
ことを特徴とする請求項１に記載の揮散量調整キャップ。
【発明の詳細な説明】
【技術分野】
【０００１】  本発明は、容器本体内に、消臭剤等の揮発性物質を充填しておき、この揮発性物質を揮散させる際、キャップ内に収容したゲル化剤等を容器本体内に落下させて揮発性物質と混合し、この揮発性物質をゲル化させて揮散が一気に進まないように調整することが可能な揮散量調整キャップに関する。
【背景技術】
【０００２】  消臭剤や芳香剤等の容器は、使用前に内容物である揮発性物質が揮散（気化）しないように密封しており、使用者が使用に際して開封したときに、一気に揮発性物質が揮散してしまわないように揮発性物質にゲル化剤を混合してゲル化させ、このゲル化作用によって揮散変化が徐々に進行するように抑制するキャップが用いられている。【０００３】 上記の作用を有するキャップとして、例えば特開２０１３−２８３６８号公報には、内容物の充填空間を有する容器本体と、頂部開口を有し口部に装着されるキャップ本体と、揮散孔を有しキャップ本体にヒンジを介して連結される蓋体とを備え、キャップ本体は、頂部開口より口部の内壁に沿って伸延する内周壁と、内周壁の下端部を閉鎖する底部とを備え、内周壁は、底部に向けて伸延する一方、上部を キャップ本体から突出させる筒体を有し、筒体は、その上部の押し込みに伴い底部を開放して充填空間内の内容物を揮散させる刃部を備えた揮散容器が開示されている。
【先行技術文献】
【特許文献】
【０００４】
【特許文献１】特開２０１３−２８３６８号公報
【発明の概要】
【発明が解決しようとする課題】
【０００５】  しかし、上記特許文献に開示された容器のキャップでは、一旦底壁をカットした後はこの底壁は開放したままとなり、途中で揮散状態が進行することを止めることができなかった。【０００６】  また、使用する部屋の大きさに応じた揮散量を調整することも不可能であり、使い勝手が悪いと言う問題があった。【０００７】 更には、カットされた底壁は容器本体内の充填空間内において垂れ下がった状態で残るため、このカットされた底壁が揮散作用の抵抗となったり、カットの状態によっては底壁の開放量に変化が生じ、安定した揮散を妨げることもあった。【０００８】 本発明は、消臭剤や芳香剤等の揮発性物質の揮散量を、例えば部屋の大きさや室内環境の変化等に合わせて使用者が自由に調整することができると共に、安定した揮散を可能にする揮散量調整キャップを提供することを目的とする。
【課題を解決するための手段】
【０００９】
上記目的を達成するため、本発明に係る揮散量調整キャップは、内キャップと外キャップの二重構造からなり、内キャップは、容器本体に固定され、かつ底部中央に閉塞突起部を有し、閉塞突起部の周囲には複数の開孔が形成され、外キャップは、内部に剤料収容室を有し、内キャップに対して上下方向に相対移動可能に装着され、内キャップの閉塞突起部と密着する開封口、及び揮散した揮発性物質を外部に放出する揮散孔を有し、前記内キャップ及び前記外キャップは、共に前記容器本体の口部内に落ち込むように凹状部に形成され、かつ前記内キャップ及び前記外キャップの前記凹状部の一部は互いに密着しており、内キャップと外キャップが上下方向に相対移動した状態において、前記閉塞突起部と前記開封口との密着、及び前記内キャップと前記外キャップの前記凹状部の一部の密着が開放され、かつ内キャップと外キャップとの間に揮散孔に通じる隙間が出現する、ことを特徴とする。
【発明の効果】
【００１０】  上記したように、本発明に係る揮散量調整キャップによれば、使用者は、消臭剤や芳香剤等の揮発性物質の揮散量を、例えば部屋の大きさや室内環境の変化等に合わせて自由に調整したりすることができると共に、安定した揮散を可能にすることができる。【００１１】  また、一度開封した外キャップを再び締め込むことにより、揮散作用を止めることができ、さらに外キャップを緩めることで再使用することもできる。【００１２】  また、キャップの緩め量をある一定の位置にすることにより、常に一定の揮散量を維持することから、安定した消臭や芳香効果を奏することができる。
【図面の簡単な説明】
【００１３】
【図１】本発明に係る揮散量調整キャップの説明図
【図２】消臭剤を揮散させている状態の説明図
【図３】Ａ−Ａ’線断面図
【図４】Ｂ−Ｂ’線断面図
【実施例】
【００１４】  図１乃至図４に基づいて本発明に係る揮散量調整キャップの実施例について、詳細に説明する。【００１５】 本実施例では、揮発性物質の代表例である消臭剤容器に適用されるキャップについて示す。なお、容器内に収容される揮発性物質は、本実施例で示す消臭剤の他、芳香剤、香水、精油など、揮発性を有するあらゆる物質を対象とする。【００１６】揮散量調整キャップ１は、内部に消臭剤を収容する容器本体１００の口部１０１にネジ式によって装着されている。【００１７】図１に示すとおり、揮散量調整キャップ１は、外キャップ８と内キャップ３の二重構造となっており、容器本体１００の口部１０１に対し内キャップ３がネジ止めされ、内キャップ３と外キャップ８もネジによって結合している。また、外キャップ８には、揮散した芳香剤が外部に放出される揮散孔１３を有しており、さらに上端開口は蓋１９ａによって封止されている。【００１８】内キャップ３及び外キャップ８は、共に前記容器本体１００の口部１０１内に落ち込むように凹状部（３、４及び９、１０）に形成され、外キャップ８内には、例えば消臭剤をゲル化させるための剤料であるゲル化剤の収容室１２ａが形成されている。【００１９】内キャップ３には、その底部中央に閉塞突起部５が形成され、この閉塞突起部５の周囲に複数の開孔６が形成されている。さらに前記内キャップ３には、外キャップ８と螺合するネジ１７が内壁１６に形成され、容器本体１００の口部１０１と螺合するネジ７が外壁２の内部に形成されている。【００２０】外キャップ８には、内キャップ３と螺合するネジが壁部１８の内部に形成されており、かつその底部中央１２には、内キャップ３の閉塞突起部５がぴったりと嵌る開封口１１が形成されている。【００２１】なお、図３、図４は、図２で表示したＡ−Ａ断面、Ｂ−Ｂ断面を示した図である。【００２２】以上の構成を有する本発明は、開封使用前において、内キャップ３の閉塞突起部５と外キャップ８の開封口１１は密着しており、また両方の凹状部の一部（３、９）は互いに密着しており、ゲル化剤は外キャップ８内に収納されたままである。【００２３】使用に際し、使用者が外キャップ８を回転させて内キャップ３に対して相対的に上昇させると、外キャップ８の開封口１１が上昇し、内キャップ３の閉塞突起部５とが離反することで、キャップ内に収容してあるゲル化剤は容器本体１００内へと落下する。と同時に内キャップ３と外キャップ８との間に、図２の破線矢印で示すような隙間となる揮散通路１４が出現する。【００２４】ゲル化剤の落下により、容器本体１００内に収容されている芳香剤とゲル化剤が化学反応し、揮発した芳香剤は上記揮散通路１４を経由して、外キャップ８に形成した揮散孔１３から室内に放出される。なお、外キャップ８の上昇によって生じる内キャップ８との間の遮閉口１５の開き量を調整することにより、揮散した消臭剤が室内に放出される量を制御することが出来る。即ち、外キャップ８の回転量（内キャップ３との相対変位量）に応じて、消臭剤の放出量を使用者の要求に応じて変化させることができるようになっている。【００２５】また、消臭剤の放出を止めたい場合には、緩めた外キャップ８を締め込んで、内キャップ３の閉塞突起部５と外キャップ８の開封口１１を密着させ、内キャップ３との間に形成される揮散通路１４を閉じ、再び消臭剤を放出したい場合には、再度外キャップ８を緩めれば良い。【００２６】以上に説明したように、本発明に係る揮散量調整キャップ１によれば、使用者は、消臭剤や芳香剤等の揮発性物質の揮散量を、例えば部屋の大きさや室内環境の変化等に合わせて自由に調整したりすることができると共に、安定した揮散を可能にすることができる。
【符号の説明】
【００２７】１  揮散量調整キャップ３  内キャップ６  開孔８  外キャップ１３  揮散口１４  揮散通路 
【図１】
0006419430.tif 000002
【図２】
0006419430.tif 000003
【図３】
0006419430.tif 000004
【図４】
0006419430.tif 000005